(57)【要約】【課題】  集合住宅等の床スラブに沿って横引きに配管する床排水構造に使用される排水構造体において、排水効率に優れており、配管と、配管につながる排出部の清掃を確実に行うことができ、メンテナンスがしやすい排水構造体を提供する。【解決手段】  排水構造体(A)は、排水容器(1)と、排水容器(1)に接続される縦引き型の排水トラップ(2)で構成されている。排水容器(1)は、排水トラップを接続するトラップ接続口(11)と、トラップ接続口(11)の周囲に設けてある集水部(12)と、排水管(4)を横引きに接続する配管接続口(13)を備えている。排水容器(1)の内底部には排水トラップ(2)の排水筒(21)端部と内底部との間に通水のための隙間を設けるスペーサ(103)が設けてある。【選択図】図５
2010159631.tif 000002
【特許請求の範囲】
【請求項１】
排水容器(1)と、排水容器(1)に接続される排水トラップ(2)で構成されており、
排水容器(1)は、
上部に設けられ、排水トラップを接続するトラップ接続口(11)と、
トラップ接続口(11)の周囲に設けてある集水部(12)と、
側部に設けられ、排水管(4)を横引きに接続する配管接続口(13)と、
を備えていることを特徴とする、
排水構造体。
【請求項２】
排水トラップ(2)が縦引き構造であり、排水容器(1)の内底部に排水トラップ(2)の排水口(21)端部と内底部との間に通水のための隙間を設けるスペーサ(103)が設けてあることを特徴とする、
請求項１記載の排水構造体。
【請求項３】
縦引き構造の排水トラップ(2)を接続するトラップ接続口(11)と、
トラップ接続口(11)の周囲に設けてある集水部(12)と、
排水管(4)を横引きに接続する配管接続口(13)と、
を備えており、
内底部に排水トラップ(2)の排水口(21)端部と内底部との間に通水のための隙間を設けるスペーサ(103)が設けてあることを特徴とする、
排水容器。
【請求項４】
床部に設けられた集水枡(3)に排水トラップ(2)を接続した第１または第２の発明に係る排水構造体(A)と排水管(4)が床部に埋設されており、排水容器(1)の上方には集水部(12)に滲水を導くように防水層(7)が設けてあり、排水管(4)は配管接続口(13)に横引きに接続されていることを特徴とする、
床排水構造。
【発明の詳細な説明】
【技術分野】
【０００１】
本発明は、排水構造体及び床排水構造に関するものである。更に詳しくは、例えば集合住宅の床スラブに沿って横引きに配管する床排水構造に使用され、排水効率に優れており、配管と、配管につながる排出部の清掃を確実に行うことができ、メンテナンスがしやすい排水構造体及び床排水構造に関する。
【背景技術】
【０００２】
いわゆるマンション等の集合住宅においては、各々の住居部分が上下左右に接しているので、隣接する他の住居への設備的な干渉を最小限にするために様々な工夫が施されている。汚水を排水するための設備は、そのうち最も重要なものの一つである。
【０００３】
かつては、上層の住居で生じる汚水を排出するための配管は、それより下層の住居内を上下方向に貫通していた。しかし、このような設備では、下層の住居に住む人は、上層の住居での排水のたびに騒音がすることや、何より他の住居の汚水が、管内とはいえ自分の住居内を通ることを生理的に受け入れにくい問題がある。
【０００４】
ところで、集合住宅において、他の住居に影響を与えたり干渉することなくリフォームやメンテナンスを行うことができる床排水構造として、例えば特許文献１に記載された排水システムがある。この排水システムは、例えば浴室や台所からの汚水を、排水容器から床スラブに設けられた低床部（二重床と表現されている）に沿って横引きに配管した排水管によって各住宅の共用部分まで引き、共用部分において上下方向に配管した排水管で排水するものである。
【０００５】
特許文献１に記載されている排水構造体を図１０に示す。この排水構造体は、集水枡９０と排水容器９１及び排水管９２で構成されている。集水枡９０の排水部に設けてある排水筒９３は単に筒状であるため、排水容器９１自体にトラップ機能が付与されている。すなわち、上向きの排出部９４の口縁部が排水管９２のほぼ中間の高さ（集水枡９０の底部とほぼ同じ高さ）まで立ち上がって形成されている。
【０００６】
【特許文献１】特開平１１−１４８１５３号公報
【発明の開示】
【発明が解決しようとする課題】
【０００７】
この排水システムによれば、上記したような問題、すなわち上層の住居での排水のたびに騒音がすること、及び他の住居の汚水が、管内とはいえ自分の住居内を通ることを生理的に受け入れにくいという問題については、解消または軽減することが可能である。しかしながら、この排水システムを集合住宅等に採用した場合、次のような課題を生じる。
【０００８】
図１０に示した排水構造体は、排水容器９１にトラップ機能を持たせているので、排出部９４が上向きとなり、高さも比較的高くなっており、これに伴い接続口９５及びそれに接続される排水管９２の高さも高くなっている。このため、排水管９２の横引きの距離が比較的長くなる場合があることとも相まって、排水効率がよいとはいえない。
【０００９】
また、排出部９４が立ち上がっている構造であるため、例えば隣室の点検口などから排水管を通して排水容器内部の清掃をしようとしても、排出部９４の立ち上がり壁に阻まれて、特に排出部９４内部の清掃は困難である。なお、排水容器には排出部の流路がＳ字状に形成されたトラップを有するものもあるが、これを代用した場合も排出部の内部の清掃が困難であることに変わりはない。
【００１０】
（本発明の目的）
本発明の目的は、例えば集合住宅の床スラブに沿って横引きに配管する床排水構造に使用される排水構造体であって、排水効率に優れており、配管と、配管につながる排出部の清掃を確実に行うことができ、メンテナンスがしやすい排水構造体及び床排水構造を提供することである。
【課題を解決するための手段】
【００１１】
上記課題を解決するために本発明が講じた手段は次のとおりである。
第１の発明にあっては、
排水容器と、排水容器に接続される排水トラップで構成されており、
排水容器は、
上部に設けられ、排水トラップを接続するトラップ接続口と、
トラップ接続口の周囲に設けてある集水部と、
側部に設けられ、排水管を横引きに接続する配管接続口と、
を備えていることを特徴とする、
排水構造体である。
【００１２】
第２の発明にあっては、
排水トラップが縦引き構造であり、排水容器の内底部に排水トラップの排水口端部と内底部との間に通水のための隙間を設けるスペーサが設けてあることを特徴とする、
第１の発明に係る排水構造体である。
【００１３】
第３の発明にあっては、
縦引き構造の排水トラップを接続するトラップ接続口と、
トラップ接続口の周囲に設けてある集水部と、
排水管を横引きに接続する配管接続口と、
を備えており、
内底部に排水トラップの排水口端部と内底部との間に通水のための隙間を設けるスペーサが設けてあることを特徴とする、
排水容器である。
【００１４】
第４の発明にあっては、
床部に設けられた集水枡に排水トラップを接続した第１または第２の発明に係る排水構造体と排水管が床部に埋設されており、排水容器の上方には集水部に滲水を導くように防水層が設けてあり、排水管は配管接続口に横引きに接続されていることを特徴とする、
床排水構造である。
【００１５】
（作用）
本発明に係る排水構造体及び床排水構造の作用を説明する。なお、ここでは本発明の各構成要件のそれぞれに、後述する実施の形態において各部に付与した符号を対応させて付与し説明するが、この符号の付与は、あくまで説明の理解を容易にするためであって各構成要件の上記各部への限定を意味するものではない。
【００１６】
集水枡(3)に集まった生活廃水は排水トラップ(2)に入り、排水容器(1)内に排出される。そして、配管接続口(13)から横引きされた排水管(4)を通り、例えば集合住宅の共用部分に縦方向に配管された排水管を通り排水される。
【００１７】
排水構造体(A)は、排水容器(1)とは別に排水トラップ(2)を備えているので、排水容器(1)自体にトラップ機能を付与する必要はない。このため、従来のトラップ機能を有するものと異なり、排出部である配管接続口(13)付近での通水がスムーズに行われる。また、構造的に排出部を上向きにして口縁部を高くする必要もなく、接続される排水管(4)の高さをより低くすることが可能になる。
【００１８】
また、配管である排水管(4)と、それにつながる配管接続口(13)の清掃を行う場合は、例えば隣室に設けた点検口などから専用の道具を利用して行うようにする。このとき、排出部である配管接続口(13)には、従来のもののように立ち上がり部分等の阻むものがなく、清掃を容易にかつ確実に行うことができる。
【００１９】
排水構造体(A)を使用した床排水構造によれば、例えば集合住宅の床に施工した場合では、床スラブ(5)の上部側の占有側のみに排水構造体(A)と横引きにした排水管(4)を集めることが可能である。
【発明の効果】
【００２０】
（ａ）排水構造体は、排水容器とは別に排水トラップを備えているので、排水容器自体にトラップ機能を付与する必要はない。このため、従来のトラップ機能を有するものと異なり、排出部である配管接続口付近での通水がスムーズに行われる。また、構造的に排出部を上向きにして口縁部を高くする必要もなく、接続される排水管の高さをより低くすることが可能になる。これらのことから優れた排水効率が得られる。
【００２１】
（ｂ）配管である排水管と、それにつながる配管接続口の清掃を行う場合は、例えば隣室に設けた点検口などから専用の道具を利用して行うようにする。このとき、排出部である配管接続口には、従来のもののように立ち上がり部分等の阻むものがなく、清掃を容易にかつ確実に行うことができる等、排水構造体のメンテナンスがしやすい。
【００２２】
（ｃ）排水構造体を使用した床排水構造によれば、例えば集合住宅の床に施工した場合では、床スラブの上部側の占有側のみに排水構造体と横引きにした排水管を集めることが可能である。このようにすれば、上記した排水構造体の機能性を備えるとともに、下方に隣接する住居に対して、例えば排水時の騒音や住居内への配管の貫通等、設備的な干渉や影響を最小限に抑えることができる。
【発明を実施するための最良の形態】
【００２３】
本発明を図に示した実施例に基づき詳細に説明する。
【実施例】
【００２４】
図１は本発明に係る排水構造体の実施の形態を示す縦断面図、
図２は排水構造体を構成する排水容器の斜視図、
図３は排水構造体に集水枡を取り付けた状態を示し、集水枡のグレーチング部を一部省略した平面視説明図、
図４は集水枡の図３におけるＩ−Ｉ断面図である。
なお、図１において、導水筒２６については便宜上断面していない。
【００２５】
排水構造体Ａは、排水容器１と、排水容器１に接続される排水トラップ２により構成されている。
排水容器１は鉄製で鋳造によりつくられている。排水容器１は、容器本体１０、トラップ接続口１１、集水盤１２及び配管接続口１３により構成されている。
【００２６】
容器本体１０は、円筒箱部１０１と角箱部１０２を横方向へ連通させた構造で、円筒箱部１０１の上部が開口されて上記トラップ接続口１１となっている。
トラップ接続口１１の周囲には、円形の上記集水盤１２が設けられている。集水盤１２の外周部の直径は、トラップ接続口１１の内径の約二倍に形成してあり、一方側は上記角箱部１０２上部と一体になっている（図１参照）。
【００２７】
集水盤１２のうちトラップ接続口１１を構成する口縁部には、全周にわたりやや高く形成された堤部１２０が設けてある。また、トラップ接続口１１の内周部のほぼ中間の高さには、全周にわたり溝１２１が形成されている。溝１２１には、ゴム製で輪状のパッキン１２２が装着されている。パッキン１２２は断面がほぼ五角形状で、先鋭部を形成する二面を内側にし、外側の直角な三面を溝１２１に嵌め入れている。なお、パッキン１２２の内径は、挿入して接続される排水トラップ２の外形部が液密に密着するよう設定されている。
【００２８】
集水盤１２は、外周寄りの一部が所要幅で内方が下がるよう傾斜して設けてある。集水盤１２の外周縁部には、上方へ突出した突条１２３が全周にわたり設けてある。上記傾斜面の内端部には、上記堤部１２０とやや間隔を設けてほぼ全周にわたり外堤部１２４が設けてある。外堤部１２４には、周方向へ等間隔で四箇所に通水凹部１２５が設けてある。
また、堤部１２０には、各通水凹部１２５に対応させて内部へ斜めに貫通した通水孔１２６が設けてある。
【００２９】
容器本体１０の角箱部１０２の端壁には、ほぼ円筒形の上記配管接続口１３が設けてある。配管接続口１３の内周部には雌ネジ部１３０が形成してあり、後述する排水管４を螺合して接続できるようになっている。
【００３０】
容器本体１０の円筒箱部１０１の内底部には、直線状の突条で構成されたスペーサ１０３が所要の立ち上がり高さで設けてある。スペーサ１０３が設けてある方向は本実施の形態では上記配管接続口１３の管方向と平行であるが、排水トラップ２の排水口端部と円筒箱部１０１の内底部との間に通水のための隙間が確保できれば他の方向に設けることもできる。また、その数も限定しない。
【００３１】
上記排水トラップ２は、後述する容器２０の外周面をパッキン１２２の内径部に液密に密着させてトラップ接続口１１に挿入されて接続される。排水トラップ２は、プラスチック製で縦引き型であり、次の構造を有している。
排水トラップ２は容器２０を有し、容器２０の内底部の中央部には排水筒２１が下方へ突出して設けてある。なお、符号２２は大径管接続用の接続筒である。
【００３２】
容器２０の内底部から内側部にかけては複数の載置リブ２３が設けてある。各載置リブ２３には、椀体２４が載置してある。また、容器２０の上部開口部側には導水口２５が設けてある。導水口２５には、下部側を椀体２４の内部へ挿通して、上部が径大に形成された導水筒２６が装着してある。容器２０の上部は、後述する集水枡３の排水口３０に接続できるよう構成されている。
【００３３】
なお、本実施の形態では上記構造の排水トラップ２を採用したが、縦引きのものであれば他の構造の排水トラップを採用することもできる。
また、上記のように排水容器１の容器本体１０の内底部に排水トラップ２の排水口端部（排水筒２１の下端部）を載せるスペーサ１０３を設けたが、排水口端部が容器本体１０の内底部と密着して排水口が塞がれること等がなければ、スペーサ１０３は必ずしも必要ではない。
【００３４】
図５は排水構造体を使用した床排水構造を示す断面説明図である。
図１ないし図５を参照し、床排水構造の施工の方法について、床排水構造を集合住宅の上階住居部の浴室に施工する場合を例にとり説明する。なお、施工箇所については浴室に限定されるものではなく、トイレ、厨房その他の水回りの設備として施工できることはいうまでもない。
【００３５】
（１）まず、排水構造体Ａを配置する位置を決め、それに合わせて排水管４を床スラブ５上に配管する。
（２）排水管４の接続部のネジ部にシール材を付けて排水容器１の配管接続口１３に接続し、排水容器１を固定する高さを設定する。
【００３６】
（３）排水容器１の集水盤１２の外周部縁の高さまでモルタル６を施工する。このとき集水盤１２の上面にモルタルが入らないようにする。
（４）シート状の防水層７をモルタル６上面に載せる。防水層７には穴を設け、防水層７が集水盤１２の外周部から内方へ例えば４０ｍｍ幅程度かかるようにする。
【００３７】
（５）排水トラップ２に、ステンレススチール製の枡体３１にグレーチング３２を収容した集水枡３を取り付け、排水トラップ２を排水容器１のトラップ接続口１１に挿入し、高さの調節をする。このとき、設定高さが低くなっても排水筒２１の下端部はスペーサ１０３上面に当たるので、それより低くなることはなく、容器本体１０の内底部との間に通水用の隙間は確保される。なお、場合によっては排水筒２１と接続筒２２を切断して調節することもできる。
【００３８】
（６）集水枡３上面の水平レベルを予定される床面に合わせ、コンクリート８とモルタル９を順に施工し固定する。
（７）タイルＴをその上面レベルが集水枡３の上面レベルに合うようにしてモルタル９上面に施工し、施工が完了する。
【００３９】
（作用）
次に、施工後の排水構造体と床排水構造の作用を説明する。
浴室の床面から集水枡３に集まった生活廃水は排水トラップ２に入り、排水筒２１から排水容器１内に排出される。そして、配管接続口１３から横引きされた排水管４を通り、集合住宅の共用部分に縦方向に配管された排水管（図示省略）を通り排水される。
【００４０】
排水構造体Ａは、排水容器１とは別に排水トラップ２を備えているので、排水容器自体にトラップ機能を付与する必要はない。このため、排出部である配管接続口１３付近での通水がスムーズに行われる。また、従来のものとは異なり構造的に排出部を上向きにして口縁部を高くする必要もなく、限られた施工高さの範囲内で、接続される排水管４の高さをより低くすることが可能になる。
【００４１】
排水管４と、それにつながる配管接続口１３の清掃を行う場合は、隣室に設けた点検口（図示省略）から専用の道具を利用して行うようにする。このとき、配管接続口１３には、従来のもののように排出部の立ち上がり部分等の阻むものがなく、清掃を容易にかつ確実に行うことができる。
【００４２】
また、上記したように排水構造体Ａを使用した床排水構造によれば、集合住宅の床スラブの上部側の占有側のみに排水構造体Ａと横引きにした排水管４を集めることが可能である。これにより、下層の住居において上層の住居での排水のたびに騒音がすること、及び上層の住居の汚水が、管内とはいえ自分の住居内を通ることを生理的に受け入れにくいという問題については、解消または軽減することが可能である。
【００４３】
図６は他の集水枡を取り付けた排水構造体の平面視一部省略説明図、
図７は他の集水枡を取り付けた排水構造体の側面視一部断面説明図である。
本例では、排水構造体Ａは図１に示した上記のものと同じであり、集水枡３ａが異なる。集水枡３ａは、上記集水枡３と比べて枡体３１ａ幅は同じで全長を約五倍に長く形成してあり、グレーチング３２ａも同様に長く形成され、集水量が大きい設定となっている。
【００４４】
図８は更に他の集水枡を取り付けた排水構造体の平面視一部省略説明図、
図９は更に他の集水枡を取り付けた排水構造体の側面視一部断面説明図である。
本例においても、排水構造体Ａは図１に示した上記のものと同じであり、集水枡３ｂが異なる。集水枡３ｂは、上記集水枡３と比べて枡体３１ｂの幅をやや広く、全長を約四倍に長く形成してあり、集水量が大きい設定となっている。また、グレーチングではなく、両側に脚板がある蓋板３２ｂが採用されている。
【００４５】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００４６】
【図１】本発明に係る排水構造体の実施の形態を示す縦断面図。
【図２】排水構造体を構成する排水容器の斜視図。
【図３】排水構造体に集水枡を取り付けた状態を示し、集水枡のグレーチング部を一部省略した平面視説明図。
【図４】集水枡の図３におけるＩ−Ｉ断面図。
【図５】排水構造体を使用した床排水構造を示す断面説明図。
【図６】他の集水枡を取り付けた排水構造体の平面視一部省略説明図。
【図７】他の集水枡を取り付けた排水構造体の側面視一部断面説明図。
【図８】更に他の集水枡を取り付けた排水構造体の平面視一部省略説明図。
【図９】更に他の集水枡を取り付けた排水構造体の側面視一部断面説明図。
【図１０】特許文献１に記載された従来の排水構造体の説明図。
【符号の説明】
【００４７】
Ａ  排水構造体
１  排水容器
１０  容器本体
１０１  円筒箱部
１０２  角箱部
１０３  スペーサ
１１  トラップ接続口
１２  集水盤
１２０  堤部
１２１  溝
１２２  パッキン
１２３  突条
１２４  外堤部
１２５  通水凹部
１２６  通水孔
１３  配管接続口
１３０  雌ネジ部
２  排水トラップ
２０  容器
２１  排水筒
２２  接続筒
２３  載置リブ
２４  椀体
２５  導水口
２６  導水筒
３  集水枡
３０  排水口
３１  枡体
３２  グレーチング
４  排水管
５  床スラブ
６  モルタル
７  防水層
８  コンクリート
９  モルタル
Ｔ  タイル
３ａ  集水枡
３１ａ  枡体
３２ａ  グレーチング
３ｂ  集水枡
３１ｂ  枡体
３２ｂ  蓋板
９０  集水枡
９１  排水容器
９２  排水管
９３  排水筒
９４  排出部
９５  接続口
【図１】
2010159631.tif 000003
【図２】
2010159631.tif 000004
【図３】
2010159631.tif 000005
【図４】
2010159631.tif 000006
【図５】
2010159631.tif 000007
【図６】
2010159631.tif 000008
【図７】
2010159631.tif 000009
【図８】
2010159631.tif 000010
【図９】
2010159631.tif 000011
【図１０】
2010159631.tif 000012